(57)【特許請求の範囲】
【請求項１】
操作手段を操作したときに操作音を発生するようにした操作音発生装置において、
操作手段の操作に応じて第１および第２の制御信号を発生する制御手段と、
上記第１の制御信号によって制御され、上記操作手段と対応する周波数の信号を発生する信号発生手段と、
上記第２の制御信号によって制御され、上記操作手段と対応してデューティレシオが徐々に小さくなるように変調されたＰＷＭ信号を発生するＰＷＭ信号発生手段と、
上記ＰＷＭ信号を積分することによりエンベロープが減衰波形の減衰信号を生成する積分手段と、
上記信号発生手段からの信号が供給され、上記減衰信号によりその利得が制御され、上記周波数で上記エンベロープに応じて振幅が減衰された出力信号を発生する可変利得手段と、
上記可変利得手段の上記出力信号が供給される音響変換手段とからなることを特徴とする操作音発生装置。
【請求項２】
操作手段を操作したときに操作音を発生するようにした操作音発生装置において、
操作手段の操作に応じて第１乃至第４の制御信号を発生し、上記操作手段と対応してデューティレシオが徐々に小さくなるように変調されたＰＷＭ信号を発生するＰＷＭ信号発生手段、および上記ＰＷＭ信号を積分することによりエンベロープが減衰波形の減衰信号を生成する積分手段を有する制御手段と、
上記第１の制御信号によって制御され、上記操作手段と対応する周波数の信号を発生する信号発生手段と、
上記第２の制御信号によって制御され、上記減衰信号によりその利得が制御され、上記周波数で上記エンベロープに応じて振幅が減衰された出力信号を発生する可変利得手段と、
上記信号発生手段の出力側に設けられた、上記第３の制御信号によって制御される切替え手段と、
上記第４の制御信号によって制御され、上記操作手段と対応してリモートコントロール信号を発生するリモートコントロール信号発生手段と、
上記可変利得手段の上記出力信号が供給される音響変換手段と、
上記信号発生手段からの信号が搬送波として供給され、上記リモートコントロール信号が変調信号として供給される変調手段と、
上記変調手段の出力が供給されるリモートコントロール信号送出手段とからなり、
上記リモートコントロール信号の送出時においては、上記信号発生手段からの信号を搬送波として上記振幅変調手段に供給し、リモートコントロール信号の非送出時には、上記信号発生手段からの信号を上記可変利得手段に供給するように、上記第３の制御信号によって上記切替え手段を制御することを特徴とする操作音発生装置。
【発明の詳細な説明】
【０００１】
【発明の属する技術分野】
この発明は、音声・映像機器における操作装置等に用いて好適な操作音発生装置に関する。
【０００２】
【従来の技術】
電子化の進歩に伴って各種機器における入出力部においては、キー等の操作をユーザが確認することを容易とするために、キー等を操作した時に電子音を発生する操作音発生装置が設けられている。このような操作音発生装置においては、音源としてＶＣＡ（可変増幅器）に所定の周波数の信号を供給し、その信号の振幅をＡ／Ｄ変換器を介して供給される減衰信号により制御し、その出力信号をスピーカに供給する構成が使用されている。
【０００３】
また、音声・映像機器においては、ワイヤレスにて遠隔操作するためのリモートコントロール装置を備えたものも多い。リモートコントロール装置においては、制御情報を符号化し、その出力を変調することによりリモートコントロール出力を形成し、このリモートコントロール出力を他の機器の受信部に伝送するように構成されている。
【０００４】
【発明が解決しようとする課題】
しかしながら、上述した操作音発生装置においては、Ａ／Ｄ変換器が必要となり、コスト的に不利となるばかりか、小型軽量化を阻害する要因となっていた。また、リモートコントロール装置において操作音発生機能を付加する時には、リモートコントロール信号用の搬送波と、操作音用の信号とをそれぞれ発生することが必要となり、構成が複雑化する問題があった。
【０００５】
従って、この発明の目的は、構成が簡素とされ、コスト的にも有利で、然も、小型軽量化を図ることができる操作音発生装置を提供することにある。
【０００６】
【課題を解決するための手段】
以上の課題を解決するために、請求項１の発明は、操作手段を操作したときに操作音を発生するようにした操作音発生装置において、
操作手段の操作に応じて第１および第２の制御信号を発生する制御手段と、
第１の制御信号によって制御され、操作手段と対応する周波数の信号を発生する信号発生手段と、
第２の制御信号によって制御され、操作手段と対応してデューティレシオが徐々に小さくなるように変調されたＰＷＭ信号を発生するＰＷＭ信号発生手段と、
ＰＷＭ信号を積分することによりエンベロープが減衰波形の減衰信号を生成する積分手段と、
信号発生手段からの信号が供給され、減衰信号によりその利得が制御され、周波数でエンベロープに応じて振幅が減衰された出力信号を発生する可変利得手段と、
可変利得手段の出力信号が供給される音響変換手段とからなることを特徴とする操作音発生装置である。
【０００７】
また、請求項２の発明は、操作手段を操作したときに操作音を発生するようにした操作音発生装置において、
操作手段の操作に応じて第１乃至第４の制御信号を発生し、操作手段と対応してデューティレシオが徐々に小さくなるように変調されたＰＷＭ信号を発生するＰＷＭ信号発生手段、およびＰＷＭ信号を積分することによりエンベロープが減衰波形の減衰信号を生成する積分手段を有する制御手段と、
第１の制御信号によって制御され、操作手段と対応する周波数の信号を発生する信号発生手段と、
第２の制御信号によって制御され、減衰信号によりその利得が制御され、周波数でエンベロープに応じて振幅が減衰された出力信号を発生する可変利得手段と、
信号発生手段の出力側に設けられた、第３の制御信号によって制御される切替え手段と、
第４の制御信号によって制御され、操作手段と対応してリモートコントロール信号を発生するリモートコントロール信号発生手段と、
可変利得手段の出力信号が供給される音響変換手段と、
信号発生手段からの信号が搬送波として供給され、リモートコントロール信号が変調信号として供給される変調手段と、
変調手段の出力が供給されるリモートコントロール信号送出手段とからなり、
リモートコントロール信号の送出時においては、信号発生手段からの信号を搬送波として振幅変調手段に供給し、リモートコントロール信号の非送出時には、信号発生手段からの信号を可変利得手段に供給するように、第３の制御信号によって切替え手段を制御することを特徴とする操作音発生装置である。
【０００８】
この発明では、操作信号に対応して変調されたＰＷＭ信号を積分することによって、減衰信号を形成できる。減衰信号によって、操作部において操作されたキーに応じた周波数の信号の振幅が制御され、操作音信号が出力される。従って、Ｄ／Ａ変換器により減衰信号を形成する必要がなく、構成を簡単化することができる。また、この発明では、操作音を発生するために、操作手段と対応する周波数の信号がリモートコントロール信号を変調する時の搬送波としても使用される。従って、操作音信号とリモートコントロール信号の搬送波とを共通の信号発生回路により生成でき、構成を簡単化することができる。
【０００９】
【発明の実施の形態】
以下、この発明の一実施形態について図１を用いて説明する。図１において、１にて示されるのがマイクロコンピュータ（図１中マイコンにて示す）である。操作音発生装置は、図１に示すように制御手段としてのマイクロコンピュータ１、周波数発生回路２、ＶＣＡ（電圧制御アンプ）３、音響変換手段としてのスピーカ４、ＰＷＭ波形発生回路５及びＬＰＦ（ローパスフィルタ）６とにより構成される。例えば、図示せずも、この操作音発生装置がカメラ一体型液晶モニター付ＶＴＲ等の音声・映像機器に用いられる。
【００１０】
マイクロコンピュータ１には、バス８を介して操作部７が接続され、操作部７からの操作信号がマイクロコンピュータ１に供給される。操作部７は、音声・映像機器の外面に配設された操作スイッチ等である。図示しないが、バス８には、音声・映像機器の他の構成要素が接続されている。
【００１１】
マイクロコンピュータ１は、操作部７からの操作信号に基づいて二つの制御信号を形成する。一方の制御信号が周波数発生回路２に供給され、他方の制御信号がＰＷＭ波形発生回路５に供給される。一方の制御信号によって、周波数発生回路２のオン／オフおよび出力周波数が制御される。他方の制御信号によって、ＰＷＭ波形発生回路５のＰＷＭ波形のデューティレシオが制御される。
【００１２】
周波数発生回路２は、マイクロコンピュータ１からの制御信号に基づいて、操作部７においてキー等が操作されることによって発生し、操作されたキー等の対応した周波数の信号例えばパルス信号Ｓ１（図２参照）を発生する。周波数発生回路２からの信号Ｓ１は、キー等を操作した時点から減衰波形が立ち下がり、ＶＣＡ３の利得が０となるまでの期間、連続的に発生する。周波数発生回路２において形成されたパルス信号Ｓ１がＶＣＡ３の入力端子に供給される。ＶＣＡ３は、制御電圧によってその利得が可変される可変利得アンプである。
【００１３】
ＰＷＭ波形発生回路５は、マイクロコンピュータ１からの制御信号に基づいて所定のパルス幅変調されたＰＷＭ信号Ｓ２（図２参照）を形成する。ＰＷＭ信号Ｓ２は、デューティレシオが大きい状態から徐々にこれが小さくなり、最終的にパルスが発生しないように制御される。ＰＷＭ波形発生回路５において形成されたＰＷＭ信号Ｓ２がＬＰＦ（ローパスフィルタ）６に供給される。
【００１４】
ＬＰＦ６は、例えば、抵抗とコンデンサの組み合わせにより構成され、ＬＰＦ６において、ＰＷＭ信号Ｓ２が積分され、ＬＰＦ６から減衰信号Ｓ３（図２参照）が出力される。この減衰信号Ｓ３がＶＣＡ３の制御端子に供給される。
【００１５】
ＶＣＡ３は、制御端子に供給される減衰信号Ｓ３のレベルに応じて利得が変化する。従って、図２に示すように、減衰信号Ｓ３の波形と同様のエンベロープを有する操作音信号Ｓ４がＶＣＡ３から出力される。この操作音信号Ｓ４がスピーカ４に供給される。スピーカ４において音声信号が音響変換され、操作されたキー等に対応した周波数、および減衰波形の音がスピーカ４から発生する。これによって、キーを操作したユーザが操作を容易に確認することができる。
【００１６】
なお、キー等によって、操作音信号の周波数と減衰波形の両方を異ならせる必要はなく、その一方を制御することによって、操作音の高低、または操作音の長短を操作されたキーをによって異ならせるようにしても良い。
【００１７】
以下、この発明の他の実施形態について図３を用いて説明する。図３において、１１にて示されるのが制御部である。他の実施形態では、図３に示すように制御手段としての制御部１１、周波数発生回路１２、ＶＣＡ１３、スピーカ１４、スイッチ回路１５、リモートコントロール信号発生回路（図３中リモコン信号発生回路にて示す）１６および変調器１８により構成される。他の実施形態は、例えば無線で再生信号をテレビジョン受像機に送信すると共に、テレビジョン受像機を制御するリモートコントロール信号も送信するようにしたカメラ一体型ＶＴＲに設けられる。
【００１８】
制御部１１には、バス２０を介して操作部１７が接続され、キー等の操作に応じた制御データが制御部１１に供給される。操作部１７は、音声・映像機器の外面に配設された操作スイッチ等である。図示しないが、バス２０には、音声・映像機器の他の構成要素が接続されている。
【００１９】
制御部１１は、操作部７からの操作信号に基づいて４個の制御信号を形成する。第１の制御信号Ｃ１が周波数発生回路１２に供給され、第２の制御信号Ｃ２がＶＣＡ１３に供給され、第３の制御信号Ｃ３がスイッチ回路１５に供給され、第４の制御信号Ｃ４がリモートコントロール信号発生回路１６に供給される。上述した一実施形態と同様に、第１の制御信号Ｃ１によって、周波数発生回路２のオン／オフおよび出力周波数が制御され、第２の制御信号Ｃ２は、減衰信号であって、この制御信号Ｃ２によって、ＶＣＡ１３の利得が制御される。
【００２０】
周波数発生回路１２は、制御部１１からの制御信号Ｃ１に基づいて、操作部１７においてキー等が操作されることによって発生し、操作されたキー等の対応した周波数の信号例えばパルス信号を発生する。周波数発生回路１２からの信号は、キー等を操作した時点から減衰波形が立ち下がり、ＶＣＡ１３の利得が０となるまでの期間、連続的に発生する。周波数発生回路１２において形成されたパルス信号がスイッチ回路１５の入力端子に供給される。
【００２１】
スイッチ回路１５は、第３の制御信号Ｃ３により制御される。リモートコントロール信号の非発生時、すなわち、機器自身を制御するためにキー等を操作する時には、入力端子が一方の出力端子１５ａに接続され、リモートコントロール信号の発生時、すなわち、他の機器を制御するためにキー等を操作する時には、入力端子が他方の出力端子１５ｂに接続される。スイッチ回路１５の入力端子には、周波数発生回路１２からのパルス信号が供給されている。従って、リモートコントロール信号の非発生時には、このパルス信号がＶＣＡ１３に入力され、リモートコントロール信号発生時には、パルス信号が振幅変調器１８に対して供給される。
【００２２】
第４の制御信号Ｃ４が制御部１１からリモートコントロール信号発生回路１６に供給される。リモートコントロール信号発生回路１６は、制御部１１からの制御信号Ｃ４に基づいて所定のフォーマットのリモートコントロール信号を形成する。リモートコントロール信号発生回路１６において形成された信号が振幅変調器１８に変調信号として供給される。
【００２３】
振幅変調器１８は、スイッチ回路１５により選択されたパルス信号を搬送波として振幅変調を行い、その変調出力を赤外線発光ダイオード１９に供給する。赤外線ダイオード１９が変調出力により駆動されることによって、赤外線リモートコントロール信号が形成され、この信号が他の機器の受信部に向けて送出される。上述したように、スイッチ回路１５は、リモートコントロール信号の発生時には、パルス信号を振幅変調器１８に供給する。従って、この場合では、操作音が発生しない。
【００２４】
また、ＶＣＡ１３は、制御端子に供給される第２の制御信号Ｃ２のレベルに応じて利得が制御される。ＶＣＡ１３によって、スイッチ回路１５を介して供給されるパルス信号の振幅が制御される。ＶＣＡ１３において形成された操作音信号がスピーカ１４に供給される。上述したように、リモートコントロール信号の非発生時には、スイッチ回路１５がパルス信号を選択的にＶＣＡ１３に供給する。従って、この場合では、キー等に操作に応じた操作音が発生する。
【００２５】
なお、この発明の他の実施形態においては、制御部１１において形成される第２の制御信号Ｃ２が減衰信号として使用される。この信号Ｃ２は、一実施形態と同様に、ＰＷＭ波形発生回路およびＬＰＦにより形成しても良く、単なるオン／オフの２値的な信号でも良い。また、キー等の操作に応じて操作音信号の周波数と減衰波形の一方を制御しても良い。
【００２６】
また、この発明の他の実施形態においては、スイッチ回路１５を設けているが、スイッチ回路１５を設けることなく、周波数発生回路１２の出力パルス信号をＶＣＡ１３および振幅変調器１８の両者に供給する構成としても良い。この場合では、ＶＣＡ１３に対する制御信号Ｃ２と、リモートコントロール信号発生回路１６に対する制御信号Ｃ４とによって、リモートコントロール信号発生時と、その非発生時の切替えを行うようになされる。但し、リモートコントロール信号の発生時と非発生時を区別せず、何れの場合でも操作音が発生するようにしても良い。
【００２７】
【発明の効果】
この発明に依れば、Ａ／Ｄ変換器を用いることなく簡単な構成で、操作音の減衰信号を発生させることができる。また、この発明は、リモートコントロール信号用の搬送波と操作音発生用の連続波とを共通の信号発生回路により発生することができ、ハードウエアの規模を小さくでき、コストダウンを達成することができる。
【図面の簡単な説明】
【図１】この発明の一実施形態のブロック図である。
【図２】この発明の一実施形態の説明に用いる波形図である。
【図３】この発明の他の実施形態のブロック図である。
【符号の説明】
１・・・マイクロコンピュータ、２・・・周波数発生回路、３・・・ＶＣＡ、４・・・スピーカ、５・・・ＰＷＭ波形発生回路、６・・・ＬＰＦ、１１・・・制御部、１２・・・周波数発生回路、１３・・・ＶＣＡ、１５・・・スイッチ回路、１６・・・リモートコントロール信号発生回路、１８・・・振幅変調器
【図１】
0003855388.tif 000002
【図２】
0003855388.tif 000003
【図３】
0003855388.tif 000004